(57)【要約】【課題】少ない部品点数で３つ以上の収納スペースに仕切ることができ、被包装物の取り出しも容易な包装箱を得る。【解決手段】天板１８から、第１連接部３４を介して、第１仕切板３６が一体的に連接され、さらに第１仕切板３６から、第２連接部４０を介して第２仕切板３８が一体的に連接されて、箱本体１４内に３つの収納スペース４２、４４、４６が構成される。第１仕切板３６は一旦後方へ折り返し、さらに下方へ折り曲げる形状とされており、第２仕切板３８を上下に移動させることなく、その板面に沿った方向にスライドさせることができる。【選択図】　　　　図２
2004075118.tif 000002
【特許請求の範囲】
【請求項１】
被包装物を包装可能で、被包装物を出し入れする開口部が形成された箱本体と、
前記箱本体から第１連接部を介して一体的に連接され、箱本体内を２つの収納スペースに仕切る第１仕切部材と、
前記第１仕切部材と第２連接部を介して一体的に連接され、前記収納スペースの少なくとも１つをさらに仕切ると共に、箱本体の開口部に向かって移動可能とされた第２仕切部材と、
を有し、
前記第１仕切部材が、前記第１連接部と前記第２連接部との距離が伸縮するように変形可能とされていることを特徴とする包装箱。
【請求項２】
前記第２仕切部材が、板状に形成され前記開口部に向かって板面に沿った方向に移動可能とされていることを特徴とする請求項１に記載の包装箱。
【請求項３】
前記箱本体に、前記開口部をカバー可能な蓋部材が一体的に連接されていることを特徴とする請求項１又は請求項２に記載の包装箱。
【請求項４】
前記蓋部材を、前記開口部をカバーした状態でロックするロック部材、
を有することを特徴とする請求項３に記載の包装箱。
【発明の詳細な説明】
【０００１】
【発明の属する技術分野】
本発明は、包装箱に関する。
【０００２】
【従来の技術】
従来の包装箱としては、たとえば、特開平６−２６３１８１号公報に記載された紙箱がある。
【０００３】
この紙箱では、中仕切り壁に、糊着片を備えた３枚の区切り支持板が形成されており、この区切り支持板を中仕切り壁から立てた状態で、糊着片を背面壁に糊着する。３枚の区切り支持板により、背面壁と中仕切り壁との中央部分に電子機器類収納空間が形成されると共に、正面壁と中仕切り壁との間前面に、説明冊子収納空間が構成される。
【０００４】
しかし、この紙箱では、内部を３つ以上の領域に仕切ることができず、３つ以上の領域に仕切るためにあらたな仕切り板を追加すると、部品点数が多くなる。
【０００５】
また、糊着片を背面壁に糊着しているので、中仕切り壁等を移動させることができず、収納物が取り出しにくいことがある。
【０００６】
【発明が解決しようとする課題】
本発明は、上記事実を考慮し、少ない部品点数で３つ以上の収納スペースに仕切ることができ、被包装物の取り出しも容易な包装箱を得ることを課題とする。
【０００７】
【課題を解決するための手段】
請求項１に記載の発明では、被包装物を包装可能で、被包装物を出し入れする開口部が形成された箱本体と、前記箱本体から第１連接部を介して一体的に連接され、箱本体内を２つの収納スペースに仕切る第１仕切部材と、前記第１仕切部材と第２連接部を介して一体的に連接され、前記収納スペースの少なくとも１つをさらに仕切ると共に、箱本体の開口部に向かって移動可能とされた第２仕切部材と、を有し、前記第１仕切部材が、前記第１連接部と前記第２連接部との距離が伸縮するように変形可能とされていることを特徴とする。
【０００８】
すなわち、この包装箱では、箱本体内が、第１仕切部材によって２つの収納スペースに仕切られ、さらに、この収納スペースの少なくとも１つが、第２仕切部材によって仕切られることで、３つ以上の収納スペースに仕切られる。しかも、第１仕切部材は箱本体から一体的に連接され、さらに、第２仕切部材も第１仕切部材から一体的に連接されているので、箱本体と第１仕切部材及び第２仕切部材がすべて一体化されていることになり、これらを別体で構成したものと比較して、包装箱を構成する部品の点数が少なくなる。
【０００９】
また、第１仕切部材は、第１連接部と第２連接部との距離が伸縮するように変形可能とされている。したがって、第２仕切部材に、箱本体の開口部に向かう方向の力を作用させると、これに合わせて第１連接部と第２連接部との距離が伸縮するので、第２仕切部材自体は変形することなく、その移動が許容される。第２仕切部材を引き出すことで、被包装物を開口部から容易に出し入れすることが可能になる。
【００１０】
請求項２に記載の発明では、請求項１に記載の発明において、前記第２仕切部材が、板状に形成され前記開口部に向かって板面に沿った方向に移動可能とされていることを特徴とする。
【００１１】
すなわち、板状の第２仕切部材をその板面に沿った方向に移動させると、第２仕切部材によって仕切られた収納スペースを、第２仕切部材の移動で不用意に狭めない。このため、収納スペースを広く利用することができる。
【００１２】
請求項３に記載の発明では、請求項１又は請求項２に記載の発明において、前記箱本体に、前記開口部をカバー可能な蓋部材が一体的に連接されていることを特徴とする。
【００１３】
蓋部材で開口部をカバーすることで、被包装物をより確実に保護できる。しかも、蓋部材は箱本体に一体的に連接されているので、部品点数が増加することもない。
【００１４】
請求項４に記載の発明では、請求項３に記載の発明において、前記蓋部材を、前記開口部をカバーした状態でロックするロック部材、
を有することを特徴とする。
【００１５】
ロック部材によって蓋部材を回動不能にロックすることで、開口部をカバーした状態を確実に維持できる。
【００１６】
【発明の実施の形態】
図１には、本発明の第１実施形態の包装箱１２が斜視図にて示されている。また、図２〜図６には、包装箱１２が断面図にて示されている。この包装箱１２は、複数種の被包装物５２、５４、５６を包装するために使用されるものであり、段ボール等により構成されている。被包装物５２、５４、５６としては、たとえばデジタルスチルカメラ（トレイに収納されている場合もある）と取扱説明書、及び付属品（バッテリーチャージャー、ＡＣアダプター、クレードルなど）を挙げることができる。
【００１７】
包装箱１２は、箱本体１４を備えている。箱本体１４は、四角形の筒状に形成されており、底板１６、天板１８、側板２０、２２を有している。箱本体１４の前面及び後面は開放されており、それぞれ、前面側開口部２８、後面側開口部３０（図３参照）となっている。なお、図面において、包装箱１２の前方向を矢印Ｆで、後方向を矢印Ｒで、幅方向を矢印Ｗでそれぞれ示す。
【００１８】
なお、箱本体１４をこのように四角形の筒状に形成する具体的方法は特に限定されないが、たとえば、側板２０から天板１８、側板２２及び底板１６へと一体的に連接されるように段ボールを型取りし、底板１６に設けた継ぎしろ（図示省略）を側板２０に糊付け等することで、箱本体１４を構成できる。
【００１９】
側板２０、２２にはそれぞれフラップ２４、２６が一体的に連接されており、後述する前面側蓋板６２又は後面側蓋板６８によってそれぞれ前面側開口部２８又は後面側開口部３０を閉塞するときに、これら蓋板の内側に折り込まれる。
【００２０】
天板１８には、図１に示すように、前面側から２本の切りこみ３２が入れられており、これらの切りこみ３２の間に切り残された第１連接部３４を介して、第１仕切板３６が一体的に連接されている。図２にも示すように、第１仕切板３６は、天板１８の下面と面接触するように後方に向かって折り込まれ、さらに、後面側開口部３０に至る略中間部分から下方に折り曲げられている。
【００２１】
図１及び図４から分かるように、第１仕切板３６の幅方向中央部分は、折り曲げられることなく下方に延出され、下端辺３６Ｂが底板１６に接触している。したがって、第１仕切板３６により、箱本体１４の内部が前後２つの収納スペースに仕切られている。
【００２２】
第１仕切板３６の幅方向両側部分は第２連接部４０を介して前面側に延長されており、第２仕切板３８が構成されている（すなわち、第２仕切板３８は、第２連接部４０を介して、第１仕切板３６と一体的に連接されている）。そして、図２に示すように、第１仕切板３６によって構成された２つの収納スペースの一方（前面側の収納スペース）が、第２仕切板３８によってさらに上下に仕切られることで、箱本体１４内に、３つの収納スペース４２、４４、４６が構成されている。これら３つの収納スペース４２、４４、４６には、それぞれ異なる被包装物５２、５４、５６が収納される。また、第２仕切板３８の上方の収納スペース４２に対応して、上記した２本の切りこみ３２の間に、天板１８の中央から前面側に開放された上面側開口部４８が構成されている。
【００２３】
第１仕切板３６の下端からは、さらに位置決め板８０が一体的に連接されている。位置決め板８０の先端は、後述する後面側蓋板６８が後面側開口部３０を閉塞しているとき、この後面側蓋板６８に接触している。これにより、後面側蓋板６８が閉まった状態では、第１仕切板３６の後方への不用意な移動が阻止されている。
【００２４】
第２仕切板３８の幅方向両端は、それぞれ側板２０、２２に内側から接触しており、さらに接触部分から、支持板５０が一体的に連接されている。支持板５０は、下方に向かって折り曲げられて、その下端が底板１６に上側から接触している。支持板５０は、第２仕切板３８をこの幅方向両端において支持しており、また、第１仕切板３６も、その下端辺３６Ｂから第２連接部４０までの部分で、第２仕切板３８を支持している。これらにより、第２仕切板３８は、底板１６から一定距離で、且つ底板１６と平行な姿勢を維持できるようになっている。
【００２５】
図６に示すように、第２仕切板３８に対し前面側へ引き出す方向の力を作用させると、これに伴って第２連接部４０も前面側へ移動しようとするが、第１連接部３４はその位置を変化させない。ここで、第１仕切板３６は上記したように、第１連接部３４から一旦後方へ折り返し、さらに下方へ折り曲げる形状とされているので、第１連接部３４から第２連接部４０までの距離Ｌを伸縮させることができる。したがって、第２仕切板３８を上下に移動させることなく、その板面に沿った方向にスライドさせることが可能になっている。
【００２６】
なお、上記のようにして第２仕切板３８を引き出すと、図６から分かるように、第１仕切板３６のうち、第２連接部４０よりも底板１６側の部分が傾斜しつつ前面側に移動し、収納スペース４４に収納されていた被包装物５４を押す。
【００２７】
図１に示すように、底板１６からは、前面側又は後面側に向かって、蓋構成部材５８、６０が一体的に連接されている。前面側の蓋構成部材５８は、折り目ＦＬ１、ＦＬ２によって、箱本体１４から順に前面側蓋板６２、上面側蓋板６４とされ、さらに、上面側蓋板６４の幅方向中央から、折り目ＦＬ３を介して差し込み片６６が一体的に連接されている。図２に示すように、前面側蓋板６２は、箱本体１４の前面側開口部２８をカバー可能な形状とされ、さらに、上面側蓋板６４は、箱本体１４の天板１８の上方から、上面側開口部４８をカバー可能な形状とされている。折り目ＦＬ２を中心として回動させることで、上面側開口部４８を開閉することができる。また、折り目ＦＬ１を中心として回動させることで、前面側開口部２８を開閉することができる。
【００２８】
図１に示すように、後面側の蓋構成部材６０は、折り目ＦＬ４、ＦＬ５によって、箱本体１４から順に後面側蓋板６８及び差し込み板７８とされている。図３に示すように後面側蓋板６８は、箱本体１４の後面側開口部３０をカバー可能な形状とされており、折り目ＦＬ４を中心として回動させることで、後面側開口部３０を開閉することができる。また、差し込み板７８は、箱本体１４の内側（天板１８の下側）に差し込まれる。そして、図２から分かるように、上面側蓋板６４が上面側開口部４８を閉塞し、且つ、後面側蓋板６８が後面側開口部３０を閉塞した状態で、上面側蓋板６４の先端辺６４Ｔ及び折り目ＦＬ３と、折り目ＦＬ５とが接触している。
【００２９】
折り目ＦＬ５の中央には、上面側蓋板６４の差し込み片６６が差し込まれる差し込み孔７２が形成されている。さらに、差し込み孔７２の中央には、後面側蓋板６８から折り目ＦＬ６を介して、ロック片７４が一体的に連接されている。これに対し、上面側蓋板６４と差し込み板６６との折り目ＦＬ３には、ロック片７４が挿入されるロック孔７６が形成されている。図２に示すように、上面側蓋板６４が上面側開口部４８を閉塞し、後面側蓋板６８が後面側開口部３０を閉塞した状態で、差し込み板７８を箱本体１４の内側（天板１８の下側）に差し込む。そして、差し込み片６６を差し込み孔７２に差し込み、さらに、ロック片７４をロック孔７６に挿入することで、上面側蓋板６４及び後面側蓋板６８の双方を、開放不能にロックすることができる。
【００３０】
次に、本実施形態の包装箱１２の作用を説明する。
【００３１】
本実施形態の包装箱１２では、箱本体１４内には、第１仕切板３６及び第２仕切板３８によって、３つの収納スペース４２、４４、４６が構成されている（図２等参照）。したがって、これらの収納スペース４２、４４、４６に、それぞれ異なる被包装物５２、５４、５６を収納することができる。もちろん、場合によっては、収納スペース４２、４４、４６のすべてに被包装物を収納する必要はない。
【００３２】
また、本実施形態の包装箱１２では、前面側蓋板６２及び上面側蓋板６４により、それぞれ前面側開口部２８及び上面側開口部４８が閉塞され、さらに、後面側蓋板６８により、後面側開口部３０が閉塞される。そして、差し込み片６６が差し込み孔７２に差し込まれ、さらに、ロック片７４がロック孔７６に差し込まれる。以上により、被包装物５２、５４、５６の包装が完了する。この状態で、包装箱１２は、差し込み板７８が天板１８の下側に差し込まれて箱状（直方体状）になり、蓋構成部材５８、６０の双方とも、ロック部材（ロック孔７６及びロック片７４）によって開放不能にロックされるので、被包装物５２、５４、５６が外部に出てしまうことはない。
【００３３】
被包装物５２、５４、５６を取り出すときは、まず、ロック片７４をロック孔７６から抜き、さらに差し込み片６６を差し込み孔７２から抜く。ここで、たとえば、収納スペース４６の被包装物５６を取り出す場合には、図３に示すようにに、上面側蓋板６４を僅かに上方に回動させて差し込み板６６を差し込み孔７２から抜き、さらに後面側蓋板６６を回動させて後面側開口部３０を開放する。
【００３４】
これに対し、収納スペース４２の被包装物５２を取り出す場合には、図４に示すように、折り目ＦＬ２を中心として上面側蓋板６４のみを回動させて上面側開口部４８のみを開放してもよいが、図５に示すように、さらに前面側蓋板６２を回動して、前面側開口部２８を開放させると、被包装物５２の取り出しが容易になる。また、収納スペース４４の被包装物５４を取り出す場合にも、前面側蓋板６２を回動して前面側開口部２８を開放する。
【００３５】
ここで、さらに図６に示すように、第２仕切板３８を、前面側に向かって引き出すことも可能である。これにより、第２仕切板３８に載置された収納スペース４２の被包装物５２は、第２仕切板３８と共に箱本体１４の外部に出るので、取り出しがさらに容易になる。また、底板１６に載置された収納スペース４４の被包装物５４は、第１仕切板３６の下部によって押されて箱本体１４の外部に押し出されるので、取り出しがさらに容易になる。
【００３６】
以上の説明から分かるように、本実施形態の包装箱１２では、第１仕切板３６によって包装箱１２内を仕切って２つの収納スペースを構成し、さらに、その一方の収納スペースを第２仕切板３８で仕切ることで、包装箱１２内に３つの収納スペース４２、４４、４６を構成している。これにより、それぞれの収納スペース４２、４４、４６にそれぞれ異なる被包装物５２、５４、５６を収納して、効率的に包装することができる。しかも、第１仕切板３６は箱本体１４から一体的に連接され、さらに、第２仕切板３８も第１仕切板３６から一体的に連接されることで、全体として、箱本体１４と第１仕切板３６と第２仕切板３８とがすべて一体化されているので、こららを別体で構成したものと比較して、部品点数が少なくなると共に、包装箱１２の組み立てが容易になり、低コストで包装箱１２を製造することができる。
【００３７】
しかも、本実施形態の包装箱１２では、第２仕切板３８を、その板面に沿った方向へと移動させることができるので、第２仕切板３８が移動しない構成と比較して、被包装物５２、５４をより容易に取り出すことが可能になる。
【００３８】
なお、本実施形態では、第１仕切板３６を一旦後面側へ折り返し、さらに下方へ折り曲げる形状とすることで、第１連接部３４から第２連接部４０までの距離Ｌを伸ばすようにし、第２仕切板３８を上下に移動させることなく、その板面に沿った方向にスライドさせるようにしているが、たとえば、第１仕切板３６が、第１連接部３４と第２連接部４０とを直線的に結ぶ形状としてもよい。但し、この構成では、第２連接部４０の移動軌跡は第１連接部３４を中心とした円弧状となるので、第２仕切板３８は、前面側への引き出しに伴って上方へも移動する。このため、収納スペース４２内に、第２仕切板３８の進入を許容するためのスペースが必要になり、収納スペース４２を十分に広く使用することができない場合がある。かかる観点から、本実施形態のように、第２仕切板３８をその板面方向に移動させる構成とすると、第２仕切板３８によって仕切られた２つの収納スペース４２、４４を有効に使用することができ、好ましい。
【００３９】
第１連接部３４と第２連接部４０との距離Ｌを伸縮可能とするための構成は、上記したものに限定されず、要するに、第１仕切板３６が、第２仕切板３８の板面方向への移動に伴って変形し、この距離Ｌを伸縮できる構成であればよい。たとえば、第１仕切板３６の少なくとも一部を波型あるいは蛇腹型に折り込んでおき、この波型部分の伸縮により、距離Ｌも伸縮する構成とすることも可能である。
【００４０】
箱本体１２内の収納スペースの数も３つに限定されず、これより多くてもよい。たとえば、第１仕切板３４又は第２仕切板３８からさらに仕切板（第３仕切板、第４仕切板など）を一体的に連接し、４つあるいはそれ以上の収納スペースが構成されるようにすることも可能である。
【００４１】
上記説明では、包装箱１２が段ボールで構成されているものを例に挙げたが、本発明の包装箱の材料は、段ボールに限定されない。
【００４２】
また、本発明の包装箱によって包装される被包装物としても、上記したデジタルスチルカメラやその付属品、及び取扱説明書に限定されない。
【００４３】
【発明の効果】
本発明は上記構成としたので、少ない部品点数で３つ以上の収納スペースに仕切ることができ、被包装物の取り出しも容易となる。
【図面の簡単な説明】
【図１】本発明の第１実施形態の包装箱を示す斜視図である。
【図２】本発明の第１実施形態の包装箱を示す断面図である。
【図３】本発明の第１実施形態の包装箱を示す断面図である。
【図４】本発明の第１実施形態の包装箱を示す断面図である。
【図５】本発明の第１実施形態の包装箱を示す断面図である。
【図６】本発明の第１実施形態の包装箱を示す断面図である。
【符号の説明】
１２　　包装箱
１４　　箱本体
２８　　前面側開口部（開口部）
３０　　後面側開口部（開口部）
３４　　第１連接部
３６　　第１仕切板（第１仕切部材）
３８　　第２仕切板（第２仕切部材）
４０　　第２連接部
４２　　収納スペース
４４　　収納スペース
４６　　収納スペース
４８　　上面側開口部（開口部）
５２　　被包装物
５４　　被包装物
５６　　被包装物
６２　　前面側蓋板（蓋部材）
６４　　上面側蓋板（蓋部材）
６６　　後面側蓋板（蓋部材）
７４　　ロック片（ロック部材）
７６　　ロック孔（ロック部材）
Ｌ　　距離
【図１】
2004075118.tif 000003
【図２】
2004075118.tif 000004
【図３】
2004075118.tif 000005
【図４】
2004075118.tif 000006
【図５】
2004075118.tif 000007
【図６】
2004075118.tif 000008